(57)【要約】【課題】滑走面にアイロン熱によってワックスの浸透効率のよい均一な浸透塗布に効果があり、滑走面ならびにワックスの劣化防止ができる。【解決手段】略四角形中空体からなるワックス浸透装置は、開口部２、３を有する断熱布５と保温シート６からなる保温容器１に、エアー抜きを有する耐熱耐水シート７で溶着される温度制御発熱体４からなるものである。【選択図】        図２
2004160138.tif 000002
【特許請求の範囲】
【請求項１】
アイロン熱によってワックスを滑走面に浸透塗布する事前に用いて滑走面を発熱体（４）によりワックスが浸透する程度の温度に加熱保温するワックス浸透装置。
【請求項２】
略四角形の中空体であって、上部開口部（２）および側面開口部（３）を有する保温容器（１）にエアー抜きを有する発熱体（４）で構成されることをを特徴とする請求項１記載のワックス浸透装置。
【請求項３】
保温容器（１）および発熱体（４）に柔軟性を有することを特徴とする請求項１記載のワックス浸透装置
【発明の詳細な説明】
【０００１】
【発明の属する技術分野】
本発明は、スキーおよびスノーボードの滑走面にアイロン熱によってワックスを浸透塗布することに係わるものであり、詳しくは前記スキーおよびスノーボードの滑走面にアイロン熱によってワックスを浸透塗布する事前に用いる装置であり、アイロン熱によって滑走面が焼ける劣化防止ならびにワックスが硬く劣化せず浸透効率のよい均一な浸透塗布に用いるワックス浸透装置に関するものである。
【０００２】
さらに詳しくは、滑走面にアイロン熱によってワックスを浸透塗布する事前に前記ワックス浸透装置を用いて、滑走面をワックスが浸透する程度の温度に均一に加熱保温することにより、前記滑走面をアイロン熱によって温める必要がなく、通常使用温度に比べ低い温度のワックスが溶ける程度のアイロン熱によってワックスを溶かしながら簡易に浸透効率のよい均一な浸透塗布ができる。そして、通常使用温度の単にアイロン熱のみによってワックスを溶かしながら同時に滑走面を温め幾度も繰り返す浸透塗布の加熱温度と経過時間に原因する滑走面ならびにワックスの劣化防止を目的としたものである。
【０００３】
【従来の技術】
従来の滑走面にアイロン熱によってワックスを浸透塗布する事前に用いる浸透効率のよい均一な浸透塗布のための滑走面をワックスが浸透する程度の温度に加熱保温する装置は見当たらない。単にアイロン熱のみによるワックスの浸透塗布は容易でなく熟練を要した。そして、滑走面をワックスが浸透する程度の温度に均一に加熱することができず、浸透効率が悪く滑走面ならびにワックスの劣化が見受けられた。従来の単に滑走面をアイロン熱のみによってワックスを溶かしながら同時に滑走面を温め幾度も繰り返すワックスの浸透塗布の事後に用いる浸透再加熱器具は、より多くのワックスの浸透を目的としたものであり、単に滑走面にアイロン熱のみによって浸透塗布し硬く付着したワックスを再加熱により一定時間溶けた状態にするものである。前記浸透再加熱器具としては、図３に示す１のエラストマーのブロック（９）に発熱体を内蔵した器具は、１対のスキー（１０）により前記ブロックをはさみ２のベルト（１１）により固定するものが知られている。また、業務用浸透再加熱器具として、スチール容器に赤外線発熱体、あるいはスチールフレームのエアーマット容器に温風発熱体により構成されるものが知られている。（図示せず）
【０００４】
【発明が解決しようとする課題】
単に滑走面にアイロン熱のみによるワックスの均一な浸透塗布は容易でなく、加熱温度と経過時間に原因する滑走面の劣化およびワックスが硬くなる劣化が見受けられた。従来の技術で述べたものにおいては、単に滑走面にアイロン熱のみによるワックスの浸透塗布の事後に用いる浸透再加熱器具である。そして、滑走面に浸透塗布し硬く付着したワックスを再加熱によって一定時間溶けた状態にするものであり、ワックスの劣化が見受けられた。
【０００５】
前者においては、使用範囲が限定されており１対のスキー専用の器具である。そして、１対のスキーによりブロックをはさみベルトで固定することが手間である。また、後者においては業務用であり、高価であり、軽量でなく、容易に器具の移動ができない問題点があった。
【０００６】
本発明は、従来の技術の問題点に照らして考えられたものである。その目的は、スキーおよびスノーボード共用であり、容易に器具の移動ができ、熟練を要せず簡易に滑走面にワックスの溶ける程度のアイロン熱によってワックスの浸透効率のよい均一な浸透塗布に効果があり、加熱温度と経過時間に原因する滑走性および操作性に悪影響をおよぼす滑走面およびワックスの劣化防止である。
【課題を解決するための手段】
【０００７】
上記目的を達成するために本発明におけるワックス浸透装置は、略四角形の中空体であり、締め具装着状態のスキーおよびスノーボードを収容するための上部開口部および側面下部開口部を有し、軽量であり、収納ができ、移動が容易であり、気温による影響を大きく受けず均一な保温に有効な保温容器に耐熱および耐水を有する一定温度の加熱保温のための温度制御発熱体からなるものである。
【０００８】
そして、前記締め具装着状態のスキーおよびスノーボードを収容するための上部開口部および側面下部開口部は、ジッパーにより簡単に開閉でき、前記スキーおよびスノーボードの形状に対応できる。
【０００９】
そして、前記軽量であり、収納ができ、移動が容易であり、気温による影響を大きく受けず均一な保温に有効な保温容器には、収納に適した軽量で柔軟な断熱布の断熱層と、防水性を備えた保温シートの保温層で構成される保温容器が収納に適し、容易に装置の移動ができ、外気の影響を受けにくく発熱体の熱を逃がさず、均一な保温に対応できる。
【００１０】
そして、前記耐熱および耐水を有する一定温度の加熱保温のための発熱体には、温度制御発熱体を収納に適した軽量で柔軟なエアー抜きを有する耐熱耐水シートで溶着されており、熱によるシートの劣化がなく水による故障予防に若干の対応ができ、使用環境による気圧変化および温度上昇に伴う膨張に対応でき、一定温度の加熱保温に対応できる。
【００１１】
【発明の実施の形態】
発明の実施の形態について図面を参照して説明する。
図１は、本装置を横置にした図である。本装置は、保温容器１と発熱体（図示せず）により構成される。前記保温容器１は、スキーおよびスノーボードを収容するための上部にジッパー開口部２および側面下部にジッパー開口部３を有する。
【００１３】
図２は、本装置の断面図（図１、Ａ−Ａ）であり、前記保温容器１は、断熱布５と保温シート６からなり開口部２を有する。前記発熱体４は、耐熱耐水シート７で溶着されエアー抜き（図示せず）を有する。そして、前記発熱体４上面にスキー（図示せず）およびスノーボード８が置かれ前記保温容器１に収容される。
【発明の効果】
本発明は、上述の通り構成されているので次に記載する効果を奏する。
【００１４】
軽量で収納に適しており容易に器具の移動ができ、断熱および加熱保温に優っているので滑走面をワックスの浸透する程度の温度に均一に加熱保温できる。そして、熟練を要せず、簡易に滑走面にワックスが溶ける程度のアイロン熱によってワックスの浸透効率のよい均一な浸透塗布に効果があり、滑走面およびワックスの劣化防止ができる。
【図面の簡単な説明】
【図１】本装置を横置にした図である。
【図２】本装置の断面図（図１、Ａ−Ａ）である。
【図３】従来の器具に係わる１のエラストマーのブロック９に発熱体を内蔵した器具を１対のスキー１０により前記エラストマーのブロック９をはさみ２のベルト１１により固定した側面図である。
【符号の説明】
１  保温容器
２、３  開口部
４  発熱体
５  断熱布
６  保温シート
７  耐熱耐水シート
８  スノーボード
９  ブロック
１０  スキー
１１  ベルト
【図１】
2004160138.tif 000003
【図２】
2004160138.tif 000004
【図３】
2004160138.tif 000005